(57)【要約】      （修正有）【課題】携帯端末で制限されているデータサイズよりもデータ量が大きいコンテンツを携帯端末に配信することができる。【解決手段】コンテンツ分割プログラムを携帯端末３０の機種情報に対応して記憶するコンテンツ分割プログラム格納部と、携帯端末３０から携帯端末３０の機種情報を取得する機種情報取得部と、取得した携帯端末３０の機種情報に対応する所定形式で、制限データサイズ以内の分割コンテンツを生成する分割コンテンツ生成部と、分割コンテンツを携帯端末３０に配信する分割コンテンツ配信部と、携帯端末３０で分割コンテンツを結合して元コンテンツを生成するコンテンツ結合プログラムを携帯端末３０の機種情報と対応して格納するコンテンツ結合プログラム格納部と、機種情報に対応するコンテンツ結合プログラムを携帯端末３０に配信するコンテンツ結合プログラム配信部とを備えるコンテンツ配信装置。【選択図】図３
2010039876.tif 000002
【特許請求の範囲】
【請求項１】
携帯端末の機種情報に対応する所定形式で且つ前記機種情報の携帯端末で受信制限されている制限データサイズ以内の分割コンテンツに元コンテンツを分割するコンテンツ分割プログラムを、前記携帯端末の機種情報に対応して記憶するコンテンツ分割プログラム格納部と、
携帯端末から前記携帯端末の機種情報を取得する機種情報取得部と、
前記取得した携帯端末の機種情報に対応するコンテンツ分割プログラムを抽出し、前記抽出したコンテンツ分割プログラムにより、前記取得した携帯端末の機種情報に対応する所定形式で且つ前記制限データサイズ以内の分割コンテンツを、元コンテンツを分割して生成する分割コンテンツ生成部と、
前記分割コンテンツを前記携帯端末に配信する分割コンテンツ配信部と、
携帯端末で分割コンテンツを結合して携帯端末で出力可能な元コンテンツを生成するコンテンツ結合プログラムを、前記携帯端末の機種情報に対応して格納するコンテンツ結合プログラム格納部と、
前記取得した携帯端末の機種情報に対応するコンテンツ結合プログラムを抽出し、前記携帯端末に配信するコンテンツ結合プログラム配信部とを備えることを特徴とするコンテンツ配信装置。
【請求項２】
前記元コンテンツを動画像とし、前記分割コンテンツを画像とすることを特徴とする請求項１記載のコンテンツ配信装置。
【請求項３】
前記分割コンテンツの画像を所定形式の静止画像とすることを特徴とする請求項２記載のコンテンツ配信装置。
【請求項４】
携帯端末の機種情報に対応する所定形式で且つ前記機種情報の携帯端末で受信制限されている制限データサイズ以内の分割コンテンツに元コンテンツを分割するコンテンツ分割プログラムを、前記携帯端末の機種情報に対応して記憶する手段と、
携帯端末から前記携帯端末の機種情報を取得する手段と、
前記取得した携帯端末の機種情報に対応するコンテンツ分割プログラムを抽出し、前記抽出したコンテンツ分割プログラムにより、前記取得した携帯端末の機種情報に対応する所定形式で且つ前記制限データサイズ以内の分割コンテンツを、元コンテンツを分割して生成する手段と、
前記分割コンテンツを前記携帯端末に配信する手段と、
携帯端末で分割コンテンツを結合して携帯端末で出力可能な元コンテンツを生成するコンテンツ結合プログラムを、前記携帯端末の機種情報に対応して格納する手段と、
前記取得した携帯端末の機種情報に対応するコンテンツ結合プログラムを抽出し、前記携帯端末に配信する手段としてコンピュータを機能させることを特徴とするコンテンツ配信プログラム。
【請求項５】
携帯端末と通信ネットワークを介して接続されるコンテンツ配信装置によるコンテンツ配信方法であって、
前記コンテンツ配信装置が、
前記携帯端末で指定される元コンテンツを取得し、且つ前記携帯端末から送信される携帯端末の機種情報を取得し、
前記携帯端末の機種情報に対応するコンテンツ分割プログラムを抽出し、前記抽出したコンテンツ分割プログラムにより、前記取得した携帯端末の機種情報に対応する所定形式で且つ制限データサイズ以内の分割コンテンツを、元コンテンツを分割して生成すると共に、
前記取得した携帯端末の機種情報に対応し、携帯端末で分割コンテンツを結合して携帯端末で出力可能な元コンテンツを生成するコンテンツ結合プログラムと、前記分割コンテンツとを前記携帯端末に配信することを特徴とするコンテンツ配信方法。
【発明の詳細な説明】
【技術分野】
【０００１】
本発明は、携帯端末に動画像等のコンテンツを配信するコンテンツ配信装置、コンテンツ配信プログラム及びコンテンツ配信方法に関する。
【背景技術】
【０００２】
携帯電話等の携帯端末に動画像等のコンテンツを配信するコンテンツ配信装置として、特許文献１の画像配信装置がある。特許文献１の画像配信装置は、配信先の携帯電話から携帯電話の種類等の通信種別情報を受信し、受信した通信種別情報から圧縮率を決定し、決定した圧縮率を用いて動画像を圧縮して携帯電話に配信するものである。
【０００３】
【特許文献１】特開２００６−１２１６１４号公報
【発明の開示】
【発明が解決しようとする課題】
【０００４】
ところで、携帯電話等の携帯端末には、受信できるデータサイズに制限が設けられている。そのため、制限されているデータサイズよりも若干大きい程度の動画像等のコンテンツは、特許文献１の如く圧縮して配信することが可能であるものの、基本的に、制限されているデータサイズよりもデータ量が大きい動画像等のコンテンツを携帯端末に配信することは難しい。
【０００５】
本発明は上記課題に鑑みて提案するものであって、携帯端末で制限されているデータサイズよりもデータ量が大きいコンテンツを携帯端末に配信することができるコンテンツ配信装置、コンテンツ配信プログラム及びコンテンツ配信方法を提供することを目的とする。
【課題を解決するための手段】
【０００６】
本発明のコンテンツ配信装置は、携帯端末の機種情報に対応する所定形式で且つ前記機種情報の携帯端末で受信制限されている制限データサイズ以内の分割コンテンツに元コンテンツを分割するコンテンツ分割プログラムを、前記携帯端末の機種情報に対応して記憶するコンテンツ分割プログラム格納部と、携帯端末から前記携帯端末の機種情報を取得する機種情報取得部と、前記取得した携帯端末の機種情報に対応するコンテンツ分割プログラムを抽出し、前記抽出したコンテンツ分割プログラムにより、前記取得した携帯端末の機種情報に対応する所定形式で且つ前記制限データサイズ以内の分割コンテンツを、元コンテンツを分割して生成する分割コンテンツ生成部と、前記分割コンテンツを前記携帯端末に配信する分割コンテンツ配信部と、携帯端末で分割コンテンツを結合して携帯端末で出力可能な元コンテンツを生成するコンテンツ結合プログラムを、前記携帯端末の機種情報に対応して格納するコンテンツ結合プログラム格納部と、前記取得した携帯端末の機種情報に対応するコンテンツ結合プログラムを抽出し、前記携帯端末に配信するコンテンツ結合プログラム配信部とを備えることを特徴とする。尚、分割コンテンツの所定形式には、元コンテンツの拡張子のみを変更したもの、元コンテンツのデータを単なるデータとしたもの、或いは元コンテンツのヘッダー部と異なるヘッダー部を有するもの等とすることが可能である。
【０００７】
また、本発明のコンテンツ配信装置は、前記元コンテンツを動画像とし、前記分割コンテンツを画像とすることを特徴とする。前記分割コンテンツの画像には、静止画像或いは動画像とすることが可能である。尚、本発明における元コンテンツ、分割コンテンツの内容は適宜であり、例えば元コンテンツ、分割コンテンツを動画像と音声で構成されるコンテンツ、又は音声のみで構成されるコンテンツ等とすることも可能である。
【０００８】
また、本発明のコンテンツ配信装置は、前記分割コンテンツの画像を所定形式の静止画像とすることを特徴とし、元コンテンツである動画像から所定形式の静止画像である分割画像を生成する。
【０００９】
また、本発明のコンテンツ配信プログラムは、携帯端末の機種情報に対応する所定形式で且つ前記機種情報の携帯端末で受信制限されている制限データサイズ以内の分割コンテンツに元コンテンツを分割するコンテンツ分割プログラムを、前記携帯端末の機種情報に対応して記憶する手段と、携帯端末から前記携帯端末の機種情報を取得する手段と、前記取得した携帯端末の機種情報に対応するコンテンツ分割プログラムを抽出し、前記抽出したコンテンツ分割プログラムにより、前記取得した携帯端末の機種情報に対応する所定形式で且つ前記制限データサイズ以内の分割コンテンツを、元コンテンツを分割して生成する手段と、前記分割コンテンツを前記携帯端末に配信する手段と、携帯端末で分割コンテンツを結合して携帯端末で出力可能な元コンテンツを生成するコンテンツ結合プログラムを、前記携帯端末の機種情報に対応して格納する手段と、前記取得した携帯端末の機種情報に対応するコンテンツ結合プログラムを抽出し、前記携帯端末に配信する手段としてコンピュータを機能させることを特徴とする。
【００１０】
また、本発明のコンテンツ配信方法は、携帯端末と通信ネットワークを介して接続されるコンテンツ配信装置によるコンテンツ配信方法であって、前記コンテンツ配信装置が、前記携帯端末で指定される元コンテンツを取得し、且つ前記携帯端末から送信される携帯端末の機種情報を取得し、前記携帯端末の機種情報に対応するコンテンツ分割プログラムを抽出し、前記抽出したコンテンツ分割プログラムにより、前記取得した携帯端末の機種情報に対応する所定形式で且つ制限データサイズ以内の分割コンテンツを、元コンテンツを分割して生成すると共に、前記取得した携帯端末の機種情報に対応し、携帯端末で分割コンテンツを結合して携帯端末で出力可能な元コンテンツを生成するコンテンツ結合プログラムと、前記分割コンテンツとを前記携帯端末に配信することを特徴とする。
【発明の効果】
【００１１】
本発明のコンテンツ配信装置、コンテンツ配信プログラム或いはコンテンツ配信方法は、携帯端末で制限されているデータサイズよりもデータ量が大きいコンテンツを携帯端末に配信することができる。従って、コンテンツの利用者は、例えば動画像共有サイトから取得したデータ量の大きい動画像などデータサイズの制限により携帯電話で視ることができなかった動画像を見ることができる。また、携帯端末では分割コンテンツを結合して元コンテンツにすることから、圧縮してコンテンツを配信する場合と異なり、コンテンツの品質低下を防止して元の品質を維持することができ、利用者は高品質なコンテンツを利用することができる。
【００１２】
また、元コンテンツが動画像である場合に、分割コンテンツの画像を所定形式の静止画像とすることにより、携帯端末において、一般的に送受信のデータサイズの制限が厳しい動画像の形式ではなく、データサイズの制限が無い或いは緩やかな静止画像の形式にして動画像を送信することができ、一度に配信する分割コンテンツのデータ量を多くすることができる。
【発明を実施するための最良の形態】
【００１３】
本発明の実施形態のコンテンツ配信装置について図面を参照して説明する。
【００１４】
〔実施形態のコンテンツ配信装置〕
本実施形態のコンテンツ配信装置１０は、例えば図１のコンテンツ配信システムに設けられる。図１のコンテンツ配信システムは、コンテンツ配信サーバであるコンテンツ配信装置１０と、コンテンツが格納されているコンテンツサーバ２０と、コンテンツ配信装置１０からコンテンツの配信を受ける携帯端末３０を有し、これらはインターネット、ＩＰ網等の通信ネットワーク４０を介して互いに接続される。
【００１５】
コンテンツ配信装置１０は、図２に示すように、制御プログラム格納部１１と、コンテンツ分割プログラム格納部１２と、コンテンツ結合プログラム格納部１３と、機種情報取得部１４と、分割コンテンツ生成部１５と、分割コンテンツ配信部１６と、コンテンツ結合プログラム配信部１７と、検索処理部１８と、コンテンツ取得部１９を備える。
【００１６】
制御プログラム格納部１１は、ＲＯＭ等で構成され、コンテンツ配信装置１０の全体的な動作を制御する制御プログラムを格納している。
【００１７】
コンテンツ分割プログラム格納部１２は、ハードディスク等で構成され、元コンテンツを分割して分割コンテンツを生成するコンテンツ分割プログラムを、携帯端末３０の機種情報に対応して記憶している。コンテンツ分割プログラムは、携帯端末３０の機種情報に対応する所定形式で、且つその機種情報の携帯端末３０で受信制限されている制限データサイズ以内の分割コンテンツに、元コンテンツを分割するプログラムである。
【００１８】
コンテンツ結合プログラム格納部１３は、ハードディスク等で構成され、分割コンテンツを結合して元コンテンツを生成するコンテンツ結合プログラムを、携帯端末３０の機種情報に対応して格納している。
【００１９】
機種情報取得部１４は、制御プログラムに従って動作するＣＰＵ、メモリ及び通信ネットワークのインターフェイス部等で構成され、携帯端末３０から送信される機種情報を受信して携帯端末３０の機種情報を取得する。
【００２０】
分割コンテンツ生成部１５は、制御プログラムと分割プログラムに従って動作するＣＰＵ、メモリ等で構成され、機種情報取得部１４で取得した携帯端末３０の機種情報に対応するコンテンツ分割プログラムをコンテンツ分割プログラム格納部１２から抽出し、その抽出したコンテンツ分割プログラムに従って、元コンテンツを分割し、取得した携帯端末３０の機種情報に対応する所定形式で、且つその機種情報の携帯端末３０で受信制限されている制限データサイズ以内の分割コンテンツを生成する。
【００２１】
分割コンテンツ配信部１６は、制御プログラムに従って動作するＣＰＵ、メモリ及び通信ネットワークのインターフェイス部等で構成され、分割コンテンツ生成部１５で生成された分割コンテンツを携帯端末３０に配信する。
【００２２】
コンテンツ結合プログラム配信部１７は、制御プログラムに従って動作するＣＰＵ、メモリ及び通信ネットワークのインターフェイス部等で構成され、機種情報取得部１４で取得した携帯端末３０の機種情報に対応するコンテンツ結合プログラムをコンテンツ結合プログラム格納部１２から抽出し、抽出したコンテンツ格納プログラムを携帯端末３０に配信する。
【００２３】
検索処理部１８は、制御プログラムに従って動作するＣＰＵ、メモリ及び通信ネットワークのインターフェイス部等で構成され、携帯端末３０に検索画面を提示し、検索画面で入力されるキーワード等のキー情報を携帯端末３０から受信してコンテンツサーバ２０に送信し、コンテンツサーバ２０からキー情報に対応するコンテンツの検索結果を受信して、検索結果のコンテンツを一覧で表示する検索結果画面として提示するようにして携帯端末３０に送信し、検索結果画面で選択されたコンテンツの配信要求を携帯端末３０から受信して、選択されたコンテンツ配信要求をコンテンツサーバ２０に送信する。
【００２４】
コンテンツ取得部１９は、制御プログラムに従って動作するＣＰＵ、メモリ及び通信ネットワークのインターフェイス部等で構成され、コンテンツ配信要求に対応するコンテンツをコンテンツサーバ２０から受信して取得する。
【００２５】
コンテンツサーバ２０は、キーワード等のキー情報に対応付けてコンテンツを格納するコンテンツデータベースを有し、コンテンツ配信装置１０からコンテンツの検索処理のキー情報を受信し、そのキー情報に対応するコンテンツの検索処理を実行してコンテンツの検索結果を取得し、取得したコンテンツの検索結果をコンテンツ配信装置１０に送信すると共に、携帯端末１０で選択されたコンテンツの配信要求をコンテンツ配信装置１０から受信し、受信したコンテンツ配信要求に対応するコンテンツをコンテンツデータベースから抽出してコンテンツ配信装置１０に送信する。
【００２６】
携帯端末３０は、ＣＰＵ、メモリやＥＥＰＲＯＭなどの記憶部、表示部、音声入力部、音声出力部、入力部、通信部等を必要に応じて備えるものであり、例えば携帯電話、ＰＤＡなど通信機能とコンテンツ出力機能を有する携帯端末であれば適宜である。携帯端末３０は、コンテンツ配信装置１０から送信される検索画面を表示部で出力し、検索画面で入力されるキーワード等のキー情報をコンテンツ配信装置１０に送信し、コンテンツ配信装置１０から送信される検索結果画面を出力して検索結果画面でコンテンツの一覧を表示部で表示し、一覧表示されるコンテンツの中から選択されたコンテンツの配信要求をコンテンツ配信装置１０に送信し、そのコンテンツ配信要求に対応する元コンテンツの分割コンテンツを受信すると共に、記憶部の所定の格納部に記憶するコンテンツ結合プログラムに従い、分割コンテンツを結合して元コンテンツを生成し、生成した元コンテンツを表示部で表示する、或いは生成した元コンテンツを表示部と音声出力部で出力する。
【００２７】
本実施形態のコンテンツ配信装置１０でコンテンツを配信する際には、図３に示すように、携帯端末３０が通信ネットワーク４０を介してコンテンツ配信装置１０に接続し、コンテンツ配信装置１０が携帯端末３０に検索画面を送信して提示し、携帯端末３０は検索画面を出力して表示部で表示し、検索画面で入力されるキーワード等のキー情報をコンテンツ配信装置１０に送信する（Ｓ１０１）。コンテンツ配信装置１０は受信したキー情報を接続されるコンテンツサーバ２０に送信し（Ｓ２０１）、コンテンツサーバ２０は受信したキー情報に対応するコンテンツの検索処理を実行してコンテンツの検索結果を取得し（Ｓ３０１）、その検索結果をコンテンツ配信装置１０に送信する（Ｓ３０２）。コンテンツ配信装置１０は受信した検索結果を携帯端末３０に送信し（Ｓ２０２）、携帯端末３０は受信した検索結果を出力し、検索結果のコンテンツを一覧で表示する検索結果画面を表示部で表示する（Ｓ１０２）。
【００２８】
その後、携帯端末３０は検索結果画面で選択されるコンテンツの配信要求をコンテンツ配信装置１０に送信すると共に、コンテンツ配信装置１０から受信したエージェントプログラムによって携帯端末３０の機種情報をコンテンツ配信装置１０に送信し（Ｓ１０３）、コンテンツ配信装置１０は受信したコンテンツの配信要求をコンテンツサーバ２０に送信する（Ｓ２０３）。コンテンツサーバ２０は受信したコンテンツの配信要求に対応するコンテンツをコンテンツデータベースから抽出してコンテンツ配信装置１０に送信する（Ｓ３０３）。コンテンツ配信装置１０は、携帯端末３０から受信した機種情報に対応するコンテンツ分割プログラムを抽出し（Ｓ２０４）、抽出したコンテンツ分割プログラムに従い、受信した配信要求に対応するコンテンツを元コンテンツとして分割し、携帯端末３０の機種情報に対応する所定形式で、且つその機種情報の携帯端末３０で受信制限されている制限データサイズ以内或いは制限データサイズの分割コンテンツを生成する（Ｓ２０５）。
【００２９】
元コンテンツと分割コンテンツの種類は適宜であるが、例えば元コンテンツを動画像、分割コンテンツを静止画像のフォーマットとする場合には、図４（a）に示す仕様の動画像を、図４（ｂ）に示す静止画の仕様を有しない拡張子のみをもつ静止画像とする。換言すれば、図４の例は、拡張子のみを偽装して元動画像（３ｇｐ）のファイルを、静止画像の拡張子を有する１０分割の動画像のデータした場合の例であり、元コンテンツのファイルの拡張子のみを変えて偽装し、変更された所定拡張子の分割コンテンツを生成するものである。尚、動画像或いは音声を有する動画像ファイルを分割する際には、元の動画像のヘッダー部、音声部、動画部などを無視して単なるデータファイルとして扱うことが好ましい。
【００３０】
別例として、元コンテンツを動画像と音声で構成されるコンテンツ、分割コンテンツを静止画像と音声で構成されるコンテンツとする場合に、図５（ａ）に示す仕様の動画像と音声とによるコンテンツは単なるデータとして扱い、分割した単純なデータから図５（ｂ）に示す仕様を有する静止画像による分割コンテンツ、とする（分割したデータに対して、静止画像のヘッダー部を生成して設定することにより、偽装する）。換言すれば静止画像のヘッダー部を有するコンテンツとするものであり、元コンテンツのヘッダー部を変更して偽装し、変更された所定のヘッダー部を有する分割コンテンツを生成するものである。携帯端末３０は、これによりヘッダー部をチェックしても画像データとして判断し、携帯端末３０の動画像に対する制限データサイズを超えるデータを送受信することが可能となる。携帯端末３０は、コンテンツ結合プログラムに従い、前記分割コンテンツを受け取った後、ヘッダー部分を除いてから結合を行う。
【００３１】
また、コンテンツ配信装置１０は、携帯端末３０から取得した携帯端末３０の機種情報に対応するコンテンツ結合プログラムを抽出し、抽出したコンテンツ結合プログラムを携帯端末３０に送信し（Ｓ２０６）、携帯端末３０は受信したコンテンツ結合プログラムを記憶部の所定格納部に格納して起動する（Ｓ１０４）。そして、コンテンツ配信装置１０は生成した分割コンテンツを携帯端末３０に送信し（Ｓ２０７）、携帯端末３０は、コンテンツ結合プログラムに従い、受信した分割コンテンツを結合して携帯端末３０で出力可能な元コンテンツであるコンテンツを生成し（Ｓ１０５）、生成したコンテンツを携帯端末３０内の記憶部或いはmicroSD（登録商標）など外部記憶部に格納し、そのコンテンツを表示部、或いは表示部と音声出力部とにより出力する（Ｓ１０６）。
【００３２】
本実施形態のコンテンツ配信装置１０は、携帯端末３０で受信制限されている制限データサイズよりも大きいデータ量のコンテンツを携帯端末３０に配信することができる。従って、コンテンツの利用者は、例えば動画像共有サイトから取得したデータ量の大きい動画像などデータサイズの制限により携帯端末３０で視ることができなかった動画像を見ることができる。また、携帯端末３０では分割コンテンツを結合して元コンテンツにすることから、圧縮してコンテンツを配信する場合と異なり、コンテンツの品質低下を防止して元の品質を維持することができ、利用者は高品質なコンテンツを利用することができる。また、元コンテンツが動画像である場合に、分割コンテンツの画像を所定拡張子の静止画像とすることにより、携帯端末３０において、一般的に送受信のデータサイズの制限が厳しい動画像の形式ではなく、データサイズの制限が無い或いは緩やかな静止画像の形式にして動画像を送信することができ、一度に配信する分割コンテンツのデータ量を多くすることができる。
【００３３】
〔実施形態の変形例等〕
本明細書開示の発明には、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。
【００３４】
例えば実施形態の構成では、コンテンツサーバ２０が携帯端末３０で出力可能なフォーマットのコンテンツ（拡張子３ｇｐの動画像等）を格納し、コンテンツ配信装置１０がそのコンテンツから分割コンテンツを生成し、携帯端末３０がその分割コンテンツから同一のフォーマットの元コンテンツ（拡張子３ｇｐの動画像等）を生成する構成の他に、動画共有サイトを提供するコンテンツサーバ２０が一般的なフォーマットのコンテンツ（拡張子ｆｌｖの動画像等）を格納し、コンテンツ配信装置１０がそのコンテンツから分割コンテンツを生成し、携帯端末３０がその分割コンテンツから携帯端末３０で出力可能な異なるフォーマットの元コンテンツ（拡張子３ｇｐの動画像等）を生成する構成としてもよい。
【００３５】
また、コンテンツ結合プログラムは、コンテンツ配信装置１０において、携帯端末３０の機種情報を取得した後で分割コンテンツを配信する前、或いは分割コンテンツ配信と同時等の時点で携帯端末３０に送信し、設定することが可能であり、携帯端末３０で分割コンテンツを結合して元コンテンツとし出力可能な適宜の時点で送信、設定することが可能である。また、コンテンツ結合プログラムに従って動作する携帯端末３０は、分割コンテンツを結合して元コンテンツを生成すると共に、結合した分割コンテンツをその記憶部から削除するものとすると、携帯端末３０の記憶容量を十分に確保できるので好ましい。
【産業上の利用可能性】
【００３６】
本発明は、例えば携帯電話に動画像等のコンテンツを配信する場合に利用することができる。
【図面の簡単な説明】
【００３７】
【図１】実施形態のコンテンツ配信装置を有するコンテンツ配信システムの概要を示すブロック図。
【図２】実施形態のコンテンツ配信装置の構成を示すブロック図。
【図３】実施形態のコンテンツ配信装置によるコンテンツ配信処理を示すフローチャート。
【図４】元コンテンツと分割コンテンツの仕様の第１例を示す説明図。
【図５】元コンテンツと分割コンテンツの仕様の第２例を示す説明図。
【符号の説明】
【００３８】
１０… コンテンツ配信装置  １１…制御プログラム格納部  １２…コンテンツ分割プログラム格納部  １３…コンテンツ結合プログラム格納部  １４…機種情報取得部  １５…分割コンテンツ生成部  １６…分割コンテンツ配信部  １７…コンテンツ結合プログラム配信部  １８…検索処理部  １９…コンテンツ取得部  ２０…コンテンツサーバ  ３０…携帯端末  ４０…通信ネットワーク
【図１】
2010039876.tif 000003
【図２】
2010039876.tif 000004
【図３】
2010039876.tif 000005
【図４】
2010039876.tif 000006
【図５】
2010039876.tif 000007